(57)【特許請求の範囲】
【請求項１】
異なるアンテナに接続された複数の受信部と各受信部からの出力信号を合成する合成部とを備えたダイバーシティ受信装置であって、前記受信部はスケルチ回路を備え、該スケルチ回路は受信信号の状態を監視して規定の受信信号が得られない時にこれを示す制御信号を出力し、前記合成部では前記制御信号を考慮して前記各受信部からの出力信号の合成を行うダイバーシティ受信装置において、
前記受信部は更に、
前記アンテナからの前記受信信号を受けてゲインコントロールを行いゲインコントロールされた信号を出力すると共に、受信信号のレベルを検知して受信信号の有無を判別しこれを示すレベル検知信号を出力し、更にＡＧＣ制御信号を出力するＡＧＣ回路と、
前記ゲインコントロールされた信号を受けて復調を行うための復調回路と、
前記復調回路における復調前あるいは復調後の信号を受けて同期再生を行い再生した同期信号を出力すると共に、同期のロック、アンロックを示す同期状態信号を出力するための同期回路と、
前記ＡＧＣ制御信号と前記復調回路からの出力と前記同期状態信号とを受けてＣ／Ｎ（Ｃａｒｒｉｅｒ−ｔｏ−Ｎｏｉｓｅ  ｒａｔｉｏ）値を計算し、これを示すＣ／Ｎ信号を出力するＣ／Ｎ計算回路とを備え、
前記スケルチ回路は、前記レベル検知信号と前記同期状態信号と前記Ｃ／Ｎ信号とを受けて、前記同期状態信号が前記アンロックを示している時あるいは前記レベル検知信号が受信信号無しを示している時、規定の受信信号が得られていないことを示す前記制御信号を前記Ｃ／Ｎ信号に含めて出力することを特徴とするダイバーシティ受信装置。
【請求項２】
請求項１に記載のダイバーシティ受信装置において、
前記合成部は前記アンロックあるいは前記受信信号無しを示す制御信号を含む前記Ｃ／Ｎ信号を受けるとこれを出力した前記受信部からの復調信号を合成の対象としないようにすることを特徴とするダイバーシティ受信装置。
【発明の詳細な説明】
【０００１】
【発明の属する技術分野】
本発明はダイバーシティ受信装置に関する。
【０００２】
【従来の技術】
ダイバーシティ受信装置は、同じ変調信号あるいは情報を有する信号を複数のアンテナで受信し、受信した信号をそれぞれ１対１に対応する受信部に入力し、複数の受信部からの信号を合成部で合成して１系統の信号として出力する受信装置として知られている。
【０００３】
【発明が解決しようとする課題】
ダイバーシティ受信装置においては、ある受信部において入力信号が無い場合や本来の信号ではない妨害波等が入力された場合、ノイズや妨害波が合成されてしまい、装置特性が劣化したり、装置が誤動作する可能性があった。
【０００４】
このため、複数の受信部からの信号を、それぞれの受信状態に応じて重み付けを行ったうえで合成することが行われている。しかしながら、このような重み付けによる合成を行った場合でも、ある受信部の受信状態が非常に劣化していた場合には、多少なりとも影響を受けることは避けられなかった。
【０００５】
そこで、本発明の課題は、１つ以上の受信部において入力が断あるいは無効であった場合でも装置の特性劣化、誤動作の要因とならないようなダイバーシティ受信装置を提供することにある。
【０００６】
【課題を解決するための手段】
本発明は、異なるアンテナに接続された複数の受信部と各受信部からの出力信号を合成する合成部とを備えたダイバーシティ受信装置において、前記受信部はスケルチ回路を備え、該スケルチ回路は受信信号の状態を監視して規定の受信信号が得られない時にこれを示す制御信号を出力し、前記合成部では前記制御信号を考慮して前記各受信部からの出力信号の合成を行うことを特徴とする。
【０００８】
本ダイバーシティ受信装置においてはまた、前記受信部が更に、前記アンテナからの前記受信信号を受けてゲインコントロールを行いゲインコントロールされた信号を出力すると共に、受信信号のレベルを検知して受信信号の有無を判別しこれを示すレベル検知信号を出力し、更にＡＧＣ制御信号を出力するＡＧＣ回路と、前記ゲインコントロールされた信号を受けて復調を行うための復調回路と、前記復調回路における復調前あるいは復調後の信号を受けて同期再生を行い再生した同期信号を出力すると共に、同期のロック、アンロックを示す同期状態信号を出力するための同期回路と、前記ＡＧＣ制御信号と前記復調回路からの出力と前記同期状態信号とを受けてＣ／Ｎ（Ｃａｒｒｉｅｒ−ｔｏ−Ｎｏｉｓｅ  ｒａｔｉｏ）値を計算し、これを示すＣ／Ｎ信号を出力するＣ／Ｎ計算回路とを備えても良く、前記スケルチ回路は、前記レベル検知信号と前記同期状態信号と前記Ｃ／Ｎ信号とを受けて前記受信信号の状態を監視することを特徴とする。そして、この場合の、前記スケルチ回路は、前記同期状態信号が前記アンロックを示している時あるいは前記レベル検知信号が受信信号無しを示している時、規定の受信信号が得られていないことを示す前記制御信号を前記Ｃ／Ｎ信号に含めて出力し、前記合成部は前記アンロックあるいは前記受信信号無しを示す制御信号を含む前記Ｃ／Ｎ信号を受けるとこれを出力した前記受信部からの復調信号を合成の対象としないようにすることを特徴とする。
【０００９】
【作用】
本発明によるダイバーシティ受信装置は、受信部を含む複数の入力系統（以下、ブランチと呼ぶ）の中で入力信号が断となっているか、あるいは無効となっているかを検出し、各ブランチの合成の際に入力が断あるいは無効であるブランチが装置の誤動作あるいは特性劣化の要因にならないように制御するスケルチ機能を有することを特徴とする。
【００１０】
【発明の実施の形態】
図１、図２を参照して、本発明の第１の実施の形態について説明する。図１はダイバーシティ受信装置の構成を示す。図１において、ダイバーシティ受信装置１は、各ブランチそれぞれの受信アンテナ２−１〜２−Ｎ（Ｎは正の整数）に接続された受信部３−１〜３−Ｎと、各ブランチ毎に受信した信号を合成する合成部４とを備えている。このダイバーシティ受信装置１では、各アンテナ２−１〜２−Ｎにて受信された各信号が各受信部３−１〜３−Ｎにて受信・復調され、合成部４にて合成されて１系統の信号になる。
【００１１】
図２は図１に示した受信部の構成を示し、受信部３−１〜３−Ｎはそれぞれ同じ構成を有する。図２において、受信部は、受信信号レベルを一定にするＡＧＣ回路５、受信信号を復調する復調回路６、受信信号から同期信号を再生する同期回路７、受信信号の状態を監視し合成時の特性が劣化しないように制御するスケルチ回路８、ダイバーシティ合成時に使用するＣ／Ｎ値を算出するＣ／Ｎ計算回路９を含む。
【００１２】
詳しく説明すると、ＡＧＣ回路５は、アンテナからの受信信号を受けてゲインコントロールを行いゲインコントロールされた信号をＡ／Ｄ変換したうえで復調回路６に出力すると共に、受信信号のレベルを検知して受信信号の有無を判別しこれを示すレベル検知信号をスケルチ回路８に出力し、更にＡＧＣ制御信号をＣ／Ｎ計算回路９に出力する。ＡＧＣ制御信号は、受信信号の入力レベルに対応するＡＧＣ制御電圧を示す。復調回路６は、ゲインコントロールされた信号を受けてベースバンド信号に復調する。同期回路７は、復調回路６における復調前あるいは復調後の信号を受けて同期再生を行い再生した同期信号を復調回路６に出力すると共に、同期のロック、アンロックを示す同期状態信号をスケルチ回路８、Ｃ／Ｎ計算回路９に出力する。Ｃ／Ｎ計算回路９は、ＡＧＣ制御信号と復調回路６からの出力と同期状態信号とを受けてＣ／Ｎ値を計算し、これを示すＣ／Ｎ信号を出力する。Ｃ／Ｎ計算回路９は、同期状態信号がアンロックを示す場合にはＣ／Ｎ値の計算を行わない。
【００１３】
以下に、本受信部の動作を説明する。受信信号はＡＧＣ回路５にて一定のレベルになるようにゲインコントロールされ、その後Ａ／Ｄ変換される。ＡＧＣ回路５はまた、受信信号のレベルを検知して受信信号の有無を判断し、それを示すレベル検知信号をスケルチ回路８に出力する。復調回路６では、入力信号をダイバーシティ合成が可能なベースバンド信号に復調する。その際、同期回路７からの同期信号も使用する。同期回路７では、復調回路６で復調される前の信号を受け取り、フレーム、クロック等の同期信号を再生する。また、同期信号の再生には、復調回路６で復調された後の信号を受け取り、入力信号に含まれる同期信号、例えばＭＰＥＧ−ＴＳの同期信号（４７Ｈ、あるいはＢ８Ｈ）等を使用することもできる。同期回路７ではまた、同期のロック、アンロックの状態判定も行い、状態判定結果を示す同期状態信号を各回路ヘ出力する。スケルチ回路８では、ＡＧＣ回路５から入力されるレベル検知信号と同期回路７から入力される同期状態信号をもとに、装置特性が劣化しないように復調信号の制御を行う。また、その制御信号をスケルチ信号として合成部４（図１）へ出力する。
【００１４】
つまり、スケルチ回路８は、レベル検知信号と復調回路６からの出力と同期状態信号とを受けて受信信号の状態を監視するものであり、同期状態信号がアンロックを示している時あるいはレベル検知信号が受信信号無しを示している時には、規定の受信信号が得られていないことを示す制御信号をスケルチ信号として合成部４（図１）に出力する。この場合、スケルチ回路８は復調回路６からの出力を合成部４に送らないようにしても良い。勿論、スケルチ回路８は、規定の受信信号が得られている場合には、復調回路６からの復調信号をそのまま合成部４に出力する。
【００１５】
一方、合成部４ではＣ／Ｎ信号とスケルチ信号とを受け、各受信部からのＣ／Ｎ信号を参照して合成を行うが、スケルチ信号がアンロックあるいは受信信号無しを示す場合にはこれを出力した受信部からの復調信号を合成の対象としないようにする。
【００１６】
以上のように、本形態ではスケルチ回路を設けて制御を行うことにより、受信信号が無い場合、あるいは同期が確立されていない場合等における装置の特性劣化を改善することができ、また、受信信号が無いことによる装置の誤動作を防ぐことができる。
【００１７】
図３は、本発明の他の実施の形態による受信部の構成を示す。図３において、図２と同じ部分には同じ番号を付してそれらの説明を省略する。本形態では、スケルチ回路８´は、ＡＧＣ回路５からのレベル検知信号と同期回路７からの同期状態信号とＣ／Ｎ計算回路９からのＣ／Ｎ信号とを受けて受信信号の状態を監視する。つまり、スケルチ回路８´は、同期状態信号がアンロックを示している時あるいはレベル検知信号が受信信号無しを示している時、規定の受信信号が得られていないことを示す制御信号（スケルチ信号）をＣ／Ｎ信号に含めて出力する。なお、復調回路６の出力はスケルチ回路８´を経由せずに、直接、合成部４に送られる。
【００１８】
一方、合成部４（図１）はアンロックあるいは受信信号無しを示す制御信号を含むＣ／Ｎ信号を受けるとこれを出力した受信部からの復調信号を合成の対象としないようにする。
【００１９】
上記のように、図３の構成は図２の構成においてスケルチ用の制御信号をＣ／Ｎ信号に含めて出力する構成となっており、スケルチ信号をＣ／Ｎ信号に含めることができるため、図２と同様の効果を得ることが出来る。
【００２０】
なお、本発明によるダイバーシティ受信装置は、受信信号の変調方式がどのような方式であっても適用可能であることは言うまでも無い。
【００２１】
【発明の効果】
本発明によれば、受信部にスケルチ回路を設けて制御を行うことにより、受信信号が無い場合等における装置の特性劣化を改善することができ、また、受信信号が無いことによる装置の誤動作を防ぐことができる。更に、ダイバーシティ受信装置の動作中にアンテナなど受信入力系統の交換が可能となるため、保守作業性が大幅に向上するという効果もある。
【図面の簡単な説明】
【図１】本発明が適用されるダイバーシティ受信装置の構成を示した図である。
【図２】図１における受信部の構成を示した図である。
【図３】本発明の他の実施の形態による受信部の構成を示した図である。
【符号の説明】
１    ダイバーシティ受信装置
２−１〜２−Ｎ    受信アンテナ
３−１〜３−Ｎ    受信部
５    ＡＧＣ回路
６    復調回路
７    同期回路
８、８´    スケルチ回路
９    Ｃ／Ｎ計算回路
【図１】
0004143275.tif 000002
【図２】
0004143275.tif 000003
【図３】
0004143275.tif 000004